(57)【特許請求の範囲】
【請求項１】
巻芯にウェブを巻き付けたロールを容器本体内に回動自在に収納し、容器本体に形成されたスリット状の引き出し口からウェブの引き出しができるようにしたロール状ウェブの収納容器において、
前記ロールの両端面に対面する側板の少なくとも一方に回転自在に支持され、前記巻芯と一体に回転する回転コアと、この回転コアと容器本体との何れか一方に固着されたロックピンと、回転コアと容器本体との他方に根元部が固定され、先端部には前記ロックピンと弾性的に係合し、ウェブの引き出しによる回転コアの回転によってロックピンとの係合を解除するフック部を備えたクリップ部材とを有し、このクリッブ部材はフック部が前記ロックピンとの係合を解除したときに弾性変形し、フック部をロックピンと干渉しない位置に退避させることを特徴とするロール状ウェブの収納容器。
【請求項２】
前記回転コアは、巻芯端面の軸穴に圧入により固定され、また、前記クリップ部材は回転コアに一体に連設され、前記ロックピンは前記側板に一体成型されていることを特徴とする請求項１記載のロール状ウェブの収納容器。
【請求項３】
前記クリップ部材の根元部は、前記回転コアの外周縁に一体に連設されており、前記フック部は、ウェブの引き出しによる回転方向とは逆向きに前記根元部から延びたアーム部の先端に設けられ、フック部はロックピンとの係合を解除したときに前記アーム部の弾性によって回転コアの外周側に退避することを特徴とする請求項２記載のロール状ウェブの収納容器。
【請求項４】
前記フック部は、先端側にロックピンの外径よりも狭い切欠が形成された弾性を有するリング状の係合片からなり、この係合片はウェブの引き出しによる回転コアの回転によって、前記切欠を通してロックピンとの係合を解除することを特徴とする請求項３記載のロール状ウェブの収納容器。
【発明の詳細な説明】
【０００１】
【発明の属する技術分野】
本発明は、ロール状のウェブを引き出し自在に収納する収納容器に関するものである。
【０００２】
【従来の技術】
例えば、印刷製版、写植、及びカラーコピー等に使用される長尺の写真フイルムや、写真プリンタに使用される印画紙等のウェブは、通常、巻芯にこれらウェブを巻き付けたロール形態で供給される。そして、このような記録紙等のロール状ウェブから、製版機、写植機、及びカラーコピー機等に給紙するには、ロール状ウェブを回動自在に収納した収納容器が用いられる。
【０００３】
このロール状ウェブの収納容器は、ロール状ウェブ回動自在に収納したものであり、収納容器の本体に設けられた引き出し口から記録紙のウェブが引き出される。このような収納容器に収納されたロール状ウェブは、収納容器の運搬時に振動等で回転し、使用開始前に巻き緩んでしまわないように、従来はウェブを巻き付ける巻芯を、セロハンテープや金属片で収納容器の側板に止めておいたり、或いは、特公平４−４５８１６号公報に記載されているように、収納容器の本体とロール状ウェブの巻芯とを支える回転コアを、ホットメルト等で軽く接着していた。
【０００４】
【発明が解決しようとする課題】
しかしながら、使用開始前のロール状ウェブの収納容器内での巻き緩み防止のために、上述したように、巻芯と側板との固定をセロハンテープや金属片で止める方法は、このウェブが例えば感光材料である場合、暗室内での工程となるため、作業に困難が伴い、また時間もかかるという問題がある。収納容器の本体とロール状ウェブの巻芯を支える回転コアとをホットメルト等で軽く接着する方法は、係合が解除された切断後の破断面のバリ、凹凸がロール状ウェブの回転時に引っ掛かったりして、ウェブが安定して引き出せないという問題があった。
【０００５】
本発明は、収納容器内に収納されたロール状ウェブが使用開始前に回転して巻き緩むことを、簡単な機構でローコストに防止したロール状ウェブの収納容器を提供することを目的とするものである。
【０００６】
【課題を解決するための手段】
上記目的を達成するために、本発明のロール状ウェブの収納容器では、巻芯にウェブを巻き付けたロールの両端面に対面する側板の少なくとも一方に回転自在に支持され、巻芯と一体に回転する回転コアと、この回転コアと容器本体との何れか一方に固着されたロックピンと、回転コアと容器本体との他方に根元部が固定され、先端部にはロックピンと弾性的に係合し、ウェブの引き出しによる回転コアの回転によってロックピンとの係合を解除するフック部を備えたクリップ部材とを設け、このクリッブ部材はフック部が前記ロックピンとの係合を解除したときに弾性変形し、フック部をロックピンと干渉しない位置に退避させるようにしたものである。
【０００７】
請求項２においては、前記回転コアを、巻芯端面の軸穴に圧入により固定し、また、前記クリップ部材を回転コアに一体に連設するとともに、前記ロックピンを前記側板に一体成型したものである。請求項３においては、前記クリップ部材の根元部を、前記回転コアの外周縁に一体に連設し、また、前記フック部を、ウェブの引き出しによる回転方向とは逆向きに根元部から延びたアーム部の先端に設け、フック部がロックピンとの係合を解除したときにアーム部の弾性によって回転コアの外周側に退避するようにしたものである。
【０００８】
請求項４においては、前記フック部を、先端側にロックピンの外径よりも狭い切欠が形成された弾性を有するリング状の係合片とし、この係合片とロックピンとの係合を、ウェブの引き出しによる回転コアの回転によって、前記切欠を通して解除させるものである。
【０００９】
【発明の実施の形態】
以下、本発明の実施形態として、ウェブの一例である感光性の記録紙ロールを収納する収納容器を取り挙げる。図２は、本発明を実施した収納容器を示す斜視図である。略直方体の収納容器１の本体２は、遮光性の厚紙で形成されたケース３と、このケース３の左右の両開放面を覆う側板１０ａ，１０ｂとからなる。ケース３の上部には記録紙１１を本体２から引き出すための引き出し口６が形成される。
【００１０】
側板１０ａ，１０ｂは、ケース３の両側端に取りつけられる。この側板１０ａには、後述する回転コア７ａを回動自在に支持するための受け軸８ａが形成される。なお、側板１０ｂにも側板１０ａと同様に回転コア７ｂを回動自在に支持するための受け軸（図示せず）が形成される。そして、側板１０ａの内側には、後述するクリップ部材１５のフック部１５ｃと係合するロックピン２５が突設されている。
【００１１】
長尺の記録紙１１がロール状に巻き付けられた記録紙ロール１３の巻芯１２の両端部には、回転コア７ａ，７ｂが各々圧入される。これにより、記録紙ロール１３は、回転コア７ａ，７ｂを介して側板１０ａ，１０ｂに回動可能に取りつけられる。
【００１２】
図１は、一方の回転コアと側板付近を示す説明図である。回転コア７ａは、記録紙ロール１３の巻芯１２の一方の開放端に圧入される圧入部２１と、この圧入部２１の中心に突設された回転軸２２とからなる。回転軸２２には、抜け止め部２２ａが設けられており、側板１０ａの受け軸８ａと回動自在に係合し、側板１０ａに軸着される。
【００１３】
圧入部２１は、リング状の外周縁２１ａと、この外周縁２１ａに一体に設けられた、扇形の開口を有する側壁２１ｂと、外周縁２１ａに一体に設けられたクリップ部材１５からなる。クリップ部材１５は、外周縁２１ａと一体に繋がっている根元部１５ａと、この根元部１５ａから湾曲して延びているアーム部１５ｂと、アーム部１５ｂの先端に一体に設けられているフック部１５ｃとからなる。アーム部１５ｂは、記録紙１１の引き出し時に回転コア７ａが回転する方向と逆向きに延びている。
【００１４】
リング状の係合片であるフック部１５ｃには、切欠１５ｄが設けられており、側板１０ａに突設されているロックピン２５と係合する。切欠１５ｄの切欠き幅は、ロックピン２５の直径よりも小さくなっており、ロックピン２５とフック部１５ｃとの係合が解除される時には、フック部１５ｃが弾性変形して切欠き幅が広がった状態でロックピン２５がフック部１５ｃから脱する。
【００１５】
このクリップ部材１５は、ロックピン２５との係合が解除されている時には、フック部１５ｃが外周縁２１ａに近接するように形成されており、ロックピン２５と係合している時には、回転軸２２の方向にアーム部１５ｂが撓んだ状態になる。なお、他方の回転コア７ｂには、クリップ部材が設けられていないが、これ以外は回転コア７ａと同様の構成となっているので、詳しい構成の説明は省略する。なお、側壁２１ｂに扇型の開口を設けることで、クリップ部材１５と一体に成型することができる。
【００１６】
次に、このような実施形態の収納容器の作用について説明する。収納容器１の本体２内に記録紙ロール１３を収納する工程においては、まず、回転コア７ａの回転軸２２を、側板１０ａの受け軸８ａに押し込んで、回転コア７ａを側板１０ａに回動自在に取りつける。回転コア７ｂについても同様に行う。回転コア７ｂが軸着された側板１０ｂは、予め本体２に取りつけておき、記録紙ロール１３を本体２に挿入して、巻芯１２の一端を回転コア７ｂに押し込む。
【００１７】
次に、記録紙１１の先端が引き出し口６からすこし出る位置まで記録紙ロール１３を繰り出す。一方、側板１０ａに軸着された回転コア７ａの外周縁２１ａに設けられたクリップ部材１５のアーム部１５ｂを中心方向に湾曲させ、先端のフック部１５ｃをロックピン２５と係合させる。最後に側板１０ａを本体２に取りつけながら、回転コア７ａの圧入部２１を巻芯１２の端部に押し込み、本体２に記録紙ロール１３を収納する工程が完了する。
【００１８】
上述したように収納容器１に収納された記録紙ロール１３は、ロックピン２５とクリップ部材１５とを介して側板１０ａに結合しているので、収納容器１の輸送時等において、収納容器１に振動や衝撃が加わっても、記録紙ロール１３が不用意に回転することがない。従って、記録紙ロール１３が使用開始前に収納容器１内で巻き緩んでしまったり、皺や折れ目がついてしまうことがない。
【００１９】
図３は、本発明の収納容器の動きを示す説明図である。上述したような収納容器１を使用する際には、記録紙１１が使用される機器に収納容器１をセットする。そして、機器に記録紙１１を給紙する時には、記録紙ロール１３がロックピン２５とクリップ部材１５とを介して本体２に固定された状態のまま、記録紙１１を引き出す（図３（Ａ）参照）。
【００２０】
記録紙１１が引き出し口６から引き出されると、記録紙ロール１３は、図３中の時計方向に回動する。すると、回転コア７ａの外周縁２１ａと一体のクリップ部材１５も時計方向に回動し、側板１０ａに突設されているロックピン２５は、切欠１５ｄを押し広げながらフック部１５ｃから脱し、記録紙ロール１３は本体２に対して回動自在になる。そして、このロックピン２５とフック部１５ｃとの係合が解除されると、撓んでいたアーム部１５ｂが弾性により外周方向に跳ね、クリップ部材１５は外周縁２１ａの内側寄りに戻る。これにより、記録紙１１の引き出しにより回転コア７ａが回転しても、図３（Ｂ）の一点鎖線Ｒで示すように、クリップ部材１５はロックピン２５と当接しなくなり、記録紙ロール１３は何の障害もなくスムーズに回転する。
【００２１】
【実施例】
本発明の収納容器における、ロックピンとクリップ部材の実施例を図４に示す。図４中の符号Ａで示されるフック部１５ｃの厚みは、０．２〜１ｍｍであり、好ましくは０．３〜０．７ｍｍである。更に好ましくは０．４〜０．６ｍｍであり、例えば０．５ｍｍが選択される。このフック部１５ｂの厚みは、厚すぎるとロックピンが抜け出にくくなり、薄すぎると収納容器に衝撃が加わったときにロックピンとの係合が外れてしまう。
【００２２】
図４中の符号Ｂで示されるアーム部１５ｂの厚みは、０．３〜３ｍｍであり、好ましくは０．３〜２ｍｍである。更に好ましくは０．５〜１ｍｍであり、例えば０．７ｍｍが選択される。このアーム部１５ｂの厚みは、厚いと丈夫ではあるが、長時間ロックピンと係合したままにしておくと変形してしまい、ロックピンとの係合が解除された際に、ロックピンと接触しない位置まで戻らなくなってしまう。また、薄すぎると、衝撃等で折れてしまう可能性がある。
【００２３】
図４中の符号Ｃで示されるアーム部１５ｂの湾曲角度は、１０〜１７０度であり、好ましくは３０〜１５０度である。更に好ましくは４５〜１３５度である。アーム部１５ｂの長さは、圧入部の径によって変わるのが、例えば、圧入部の径が２インチの時で湾曲角度が１２０度の時には、５０ｍｍであり、圧入部の径が３インチの時で湾曲角度が６０度の時には、４０ｍｍとなる。アーム部１５ｂの長さは、短すぎると、塑性変形を起こしやすくなる。
【００２４】
図４中の符号Ｄで示される根元部１５ａの長さは、３〜１０ｍｍであり、好ましくは３〜７ｍｍである。更に好ましくは３〜５ｍｍであり、例えば４ｍｍが選択される。この根元部１５ａの長さの下限は成型上問題のない範囲内であり、上限はアーム部の長さの伸びによる成型性に影響の出ない範囲内となる。
【００２５】
図４中の符号Ｅで示されるロックピン２５の直径は、０．５〜５ｍｍであり、好ましくは１〜３ｍｍである。更に好ましくは１．２〜２ｍｍであり、例えば１．５ｍｍが選択される。このロックピン２５の直径は、細すぎるとフック部１５ｃから外れる際や衝撃により折れてしまうことがあり、また、太すぎると成型の際にひけが発生し問題となる。
【００２６】
図４中の符号Ｆで示されるフック部１５ｃの内径は、符号Ｅで示されるロックピン２５の直径との差を±０．５とし、好ましくは±０．３ｍｍである。更に好ましくは±０．２ｍｍであり、例えば−０．１５ｍｍが選択される。このフック部１５ｃの内径の下限を越えると、ロックピン２５との嵌め合いが硬くなりすぎて係合の解除力が安定しない。また、内径の上限を越えるとロックピン２５との嵌め合いが緩すぎて、記録紙ロール１３の巻き緩みの原因になる。
【００２７】
例えば、特開平１−１２１８５２号公報等に記載されている、従来のホットメルトによるロール状ウェブの巻芯止めを行っている収納容器は、図５（Ｂ）に示すように、符号Ａで示される巻芯止めの解除力が５００ｇ〜３０００ｇと非常にばらつきが多かった。これは、ホットメルトの性質として、保管環境が高温では柔らかくなって巻芯止めの解除力が低くなるためである。また、保管環境が高温では符号Ｂで示される、巻芯止めの解除に要するウェブの引き出し長さも長くなり、この影響で、符号Ｃで示される、巻芯止めを行っているホットメルトによる影響を受けるウェブの引き出し長さも長くなる。
【００２８】
一方、保管環境が低温の場合、ホットメルトがガラス質に近くなり、従来の収納容器では、Ａ値が高くなる反面、Ｂ値，Ｃ値は短くなる。従来のホットメルトによる収納容器では、ホットメルトのロット間のばらつきのため、温度を一定にしても、この様なＡ〜Ｃ値を一定に管理することが非常に難しかった。従来の収納容器では、Ｂ値は３０〜６０ｃｍは必要であり、Ｃ値はこれにより１〜５ｍも影響を受けていた。また、ホットメルトの解除の際の形状により、ウェブの全長に渡って引き出しムラが起きていた。さらに、ウェブが感光材料の場合、Ｂ値の分だけウェブを廃棄しなければならず、非常に非効率的で無駄が多かった。
【００２９】
これに対し、本発明の収納容器では、図５（Ｂ）に示すように、符号Ｂで示される、巻芯止めの解除に要するウェブの引き出し長さが５ｃｍ以下で済み、ホットメルトと違って巻芯止め解除後にウェブの引き出しに与える影響が無いため、Ｃ値は０である（存在しない）。従って、ウェブが感光材料の場合の廃棄量が非常に少なくて済む。また、ホットメルトのように外部環境の影響を殆ど受けないため、符号Ａで示される巻芯止めの解除力を低く設定することが可能になり、巻芯止めの解除に要する余分な負荷を軽減することができる。
【００３０】
なお、上記実施形態においては、側板にロックピンを設け、また回転コアにクリップ部材を設けているが、勿論、これとは逆に側板にクリップ部材を設けるとともに回転コアにロックピンを設けてもよい。側板以外の本体にロックピン、又はクリップ部材を設けてもよい。クリップ部材は回転コアの側板外側に設けられていてもよく、クリップ部材のアーム部は、湾曲せずに直線状になっていてもよい。ロックピンは中空でもよく、クリップ部材のフック部の先端が丸まっていてもよい。
【００３１】
上記実施形態においては、ウェブとして感光性の記録紙を取り上げているが、もちろん、これに限らず、感熱記録紙や普通紙、或いは樹脂シート等、ロール状の各種ウェブに適用可能である
【００３２】
【発明の効果】
以上のように、本発明のロール状ウェブの収納容器は、巻芯にウェブを巻き付けたロールの両端面に対面する側板の少なくとも一方に回転自在に支持され、巻芯と一体に回転する回転コアと、この回転コアと容器本体との何れか一方に固着されたロックピンと、回転コアと容器本体との他方に根元部が固定され、先端部にはロックピンと弾性的に係合し、ウェブの引き出しによる回転コアの回転によってロックピンとの係合を解除するフック部を備えたクリップ部材とを設け、このクリッブ部材はフック部が前記ロックピンとの係合を解除したときに弾性変形し、フック部をロックピンと干渉しない位置に退避させるようにしたので、収納容器内に収納されたロール状ウェブが使用開始前に回転して巻き緩むことを、簡単な機構でローコストに防止したロール状ウェブの収納容器を提供することが可能になる。
【図面の簡単な説明】
【図１】本発明のロール状ウェブの収納容器の要部を示す説明図である。
【図２】本発明のロール状ウェブの収納容器を示す分解斜視図である。
【図３】本発明のロール状ウェブの収納容器の動きを示す説明図である。
【図４】本発明のロール状ウェブのクリップ部材の実施例を示す説明図である。
【図５】ロール状ウェブの収納容器の引出し力と引出し長さとの関係を示すグラフである。
【符号の説明】
１  収納容器
２  本体
３  上ケース
４  下ケース
６  引き出し口
７ａ，７ｂ  回転コア
８ａ  受け軸
１１  記録紙
１２  巻芯
１３  記録紙ロール
１５  クリップ部材
１５ａ  根元部
１５ｂ  アーム部
１５ｃ  フック部
２５  ロックピン
【図１】
0003549037.tif 000002
【図２】
0003549037.tif 000003
【図３】
0003549037.tif 000004
【図４】
0003549037.tif 000005
【図５】
0003549037.tif 000006